(57)【特許請求の範囲】
【請求項１】
振動箱内に選別多孔板を傾斜して設け、該選別多孔板の下方から上方に向けて空気を吹き上げ、該選別多孔板上に比重や重量の異なる物質が混在する被選別材料を投入し、選別多孔板に振動を作用させることにより、重量物を上端方向に、軽量物を下端方向に分離移動せしめるようにした選別機において、選別多孔板の下端側端部に選別多孔板の傾斜方向と逆方向に傾斜し、軽量物を滞留させる出口堰板を設け、該出口堰板と選別多孔板の傾斜面との開き角度を１１０°以上で１３５°以下にするとともに、出口堰板付近で滞留する軽量物から可燃物を吸引するための吸引手段が設けられていることを特徴とする選別機。
【発明の詳細な説明】
【０００１】
【発明の属する技術分野】
本発明は比重や重量及び形状の異なる物質が混在している被選別材料、例えば建築廃材等の産業廃棄物等を重量物と軽量物に有効に分離することができるようにした選別機に関する。
【０００２】
【従来の技術】
従来、産業廃棄物、例えば建築廃棄物は、一旦、処理ヤードにダンピングされた後、大型廃棄物をその材質（金属、木材、コンクリート等）毎に分別し、残った小型廃棄物を破砕機で３０ｍｍ〜５０ｍｍの篩目を通過できる大きさに破砕し、この破砕物から磁力選別機や非鉄金属選別機で、鉄やアルミニウムを回収している。この金属が除去された破砕物には、砂、コンクリート破砕物、石等の比重の大きい物と、木材、プラスチックス、石膏（石膏ボード）、紙等の比重の小さい物が混在している。また、これらは、篩を通過しているものの、大きさや形状もまちまちである。この金属が除去された破砕物（廃棄物）も可能な限り、比重や大きさ等の違いによって分離選別し、有価物として、再利用することが望ましい。
【０００３】
ところで、比重の異なる物質が混在している被選別材料を、比重の差を利用して軽量物と重量物に分離選別する装置として、比重分離装置（例えば、特公昭６４−１１９２号公報）が知られている。この比重分離装置の基本的構成は、網状振動板を傾斜して設け、該網状振動板の下方から空気を振動板に吹き上げ、該網状振動板上に被選別材料を投入し、比重の大きい重量物を上端方向に移動せしめて重量物出口から排出し、比重の小さい軽量物を下端方向に分離移動せしめて軽量物出口から排出するようにしたものである。この比重分離装置は穀類等から異物を除去する目的には好適に用いられている。
【０００４】
しかし、この比重分離装置では、種々雑多な被選別材料に対しては充分な選別分離処理を行なうことができない。そこで、本願出願人等は、さらに分離性能の向上した比重分離装置を提案している（特開平１１−２６２７３３号公報）。この公報に開示された比重差を利用する選別装置を図４によって説明する。
【０００５】
図において、５０は選別装置である。該選別装置５０は、振動箱６４内に選別多孔板５８が収納されており、該選別多孔板５８は、図示したごとく、適宜傾斜して設けられている。この傾斜角度は必要に応じて適宜設定される。８２は、フードで、該フード８２に、原料投入口７２が設けられている。５５は、振動箱６４の下部に設けられた風胴で、該風胴５５内に送風ファン装置５６が収納されている。なお、６０はファン装置５６を駆動するためのモータ、８４はファン装置５６に連通する微細物出口である。
【０００６】
前記振動箱６４の側部には、左右２箇所づつ、図示省略されたアーム（吊り具）が設けられており、アームの上端部がフレーム５４に、下端部が振動箱の側部外面に取り付けられている。
【０００７】
６８は偏心クランクで、モータ７０によって駆動される。該偏心クランク６８は、一端が振動箱６４に連結されたレバー６６と接続されている。そして、偏心クランク６８の回転運動が、振動箱６４に往復運動として伝達されると、振動箱６４及びその内部に設けられた選別多孔板５８は、前記アームの上端部を中心に振動（揺動）する。
【０００８】
７４は該選別多孔板５８の上端部に形成された比重の大きい重量物の排出口、７６は該選別多孔板５８の下端部に形成された比重の小さい軽量物の排出口である。また、７８は振動箱６４に取り付けられた集塵配管で、その下部には集塵風量を調節する集塵風量調節板８０が設置されている。
【０００９】
この種の選別機では、選別多孔板５８の中央部に被選別材料を供給し、選別多孔板５８の下方から空気を吹き上げ原料を流動させる。この流動により、比重の小さい軽量物は浮力により、比重の大きい重量物より上側となる。そして、下側の重量物は、選別多孔板５８に振動が働いているので、その作用を受けて斜め上方へと移動する。また、上側の軽量物は、振動作用をあまり受けないことと、選別多孔板５８が傾斜していることより斜め下方に移動する。なお、空気は、集塵配管７８より排出される。このようなことにより、被選別材料は軽量物と重量物に分離されている。
【００１０】
具体的には、木材、プラスチックス、石膏（石膏ボード）、紙等の比重の小さい物が軽量物として選別（分離）される。また、砂、小石、コンクリート破砕物、石等のように比重が大きい物は、粒径が５ｍｍ程度以下で重量が小さい物が軽量物として、残りが重量物として選別される。つまり、重量物は大きな不燃物だけになり、軽量物は可燃物と小さな不燃物との混合物となる。資源の有効利用の観点から、前記軽量物を可燃物と不燃物とに分離することが望ましい。そして、紙やプラスチックシート等の浮遊性可燃物は、吸引フード等の吸引手段を設ければ除去（分離）できる。
【００１１】
【発明が解決しようとする課題】
しかしながら、プラスチック片や木材片のように、浮遊性の強くない可燃物は、容易に吸引することができない。吸引風量を多くすれば、強引に吸引することができるが、排風機等を大きくしなければならないだけでなく、浮遊性の少ない小石や石膏等の不燃物の混入が多くなる。
【００１２】
本発明は、上記した問題点に鑑みなされたものであり、紙やプラスチックシート等の浮遊性可燃物だけでなく、プラスチック片や木材片等の浮遊性の強くない可燃物を精度よく分離することもできる選別機を提供することを目的とする。
【００１３】
【課題を解決するための手段】
上記課題を解決する為に、本発明の選別機は、 振動箱内に選別多孔板を傾斜して設け、該選別多孔板の下方から、上方に向けて空気を吹き上げ、該選別多孔板上に比重や重量の異なる物質が混在する被選別材料を投入し、選別多孔板に振動を作用させることにより、重量物を上端方向に、軽量物を下端方向に分離移動せしめるようにした選別機において、選別多孔板の下端側端部に選別多孔板の傾斜方面と逆方向に傾斜し、軽量物を滞留させる出口堰板を設け、該出口堰板と選別多孔板の傾斜面との開き角度を１１０°以上で１３５°以下にするとともに、出口堰板付近で滞留する軽量物から可燃物を吸引するための吸引手段が設けられていることを特徴とする。
【００１４】
【発明の実施の形態】
以下に本発明の実施の形態を添付図面に基づいて説明するが、本発明の技術思想から逸脱しない限り種々の変形が可能なことはいうまでもない。
【００１５】
図１は本発明の選別機の実施形態を示す一部切欠正面概略説明図である。図２は選別多孔板の部分斜視図である。図３は選別多孔板の形状例を示す説明図である。
【００１６】
図１において、２は本発明に係る選別機である。該選別機２は、上方の選別多孔板８が収納された振動箱３と、その下部の風箱４に分割されており、両者はキャンバス５により接続されている。前記選別多孔板８は、図示したごとく、適宜傾斜して設けられる。この傾斜角度は処理すべき物品に応じて適宜設定されるが、大概６°〜１８°程度で充分である。
【００１７】
前記風箱４はベース１５の上に載置されており、前記振動箱３は、フレーム１７により、アーム７を介して吊り下げられている。このアーム７は、振動箱３の側部に、左右２箇所づつ設けられており、アーム７の上端部がフレーム１７に、下端部が振動箱３の側部外面に取り付けられている。
【００１８】
また、振動箱３の側部外面には、偏心クランク１０と係合するレバー１１が取り付けられており、偏心クランク１０の回転運動が、振動箱３に揺動運動として伝達される。この揺動運動により、図１の矢印Ａで示したように、振動箱３及びその内部に設けられた選別多孔板８は、前記アーム７の上端部を中心に振動（揺動）する。
【００１９】
振動箱３は、その上部に被選別材料Ｗの投入口２８と空気出口２３が、一端側部に重量物の排出口３０が、他端側部に軽量物の排出口３２が設けられている。前記フレーム１７は、ベース１５に設けた軸３４と係合しており、その傾斜角度を調整することができる。フレーム１７の傾斜角度を変更すれば、振動箱３の傾斜角度も変更され、前記した選別多孔板８の傾斜角度や後記する整流多孔板１２の傾斜角度の微調整を行うことができる。この角度は２°程度で、微調整が終われば、フレーム１７をベース１５に固定する。
【００２０】
選別多孔板８は、平板に多数の貫通孔を設けた多孔板を用いることができるが側面が鋸歯状に形成された選別多孔板８が好適に用いられる（図２及び図３参照）。この選別多孔板８に開穿される貫通孔（通気孔）８ａの径は、大略φ１ｍｍ〜φ５ｍｍ程度が使用可能で、φ２ｍｍ〜φ３ｍｍの径を有する選別多孔板８が好適に使用される。また、選別多孔板８の開口率は、２０〜５０％が好ましい。側面が鋸歯状の選別多孔板８は、傾斜面８ｂと垂直面８ｃが連続しており、傾斜面８ｂに多数の貫通孔８ａが設けられている。なお、垂直面８ｃにも貫通孔を設けたり、傾斜面８ｂを水平面と傾斜面との組み合わせにしたり、垂直面８ｃを急傾斜面にする等、種々の形状のものを用いることができる。
【００２１】
この選別多孔板８より下方の空間は、空気室Ｈとなっており、風箱４に設けられた空気導入口６より導入された空気が蓄えられる。この空気室Ｈには、空気室Ｈを上下に仕切る整流多孔板１２が設けられている。この整流多孔板１２は、選別多孔板８の下方に所定の間隔をおいて設置されている。また、整流多孔板１２の端部には微細物出口１３が設けられている。
【００２２】
前記空気室Ｈには、空気室Ｈを重量物側（選別多孔板８の上端側）の空気室Ｈ１と軽量物側の空気室Ｈ２とに仕切る仕切板９（９ａ，９ｂ）が設けられている。そして、それぞれの空気室Ｈ１，Ｈ２に空気導入口６，６が設けられている。
【００２３】
なお、仕切板９は、上方の仕切板９ａと下方の仕切板９ｂに分割し、整流多孔板１２との間に、僅かの隙間を設けている。整流多孔板１２の下方の隙間は、整流多孔板１２が振動箱３とともに振動するのに対し、下方の仕切板９ｂは固定されているので、両者の縁を切るために設けられており、整流多孔板１２の上方の隙間は、後述するように、整流多孔板１２の上を、微細物ｓを移動させるために設けられている。なお、整流多孔板１２を設けない場合は、仕切板９を分割せずに一体型にするとよい。
【００２４】
前記選別多孔板８の上方には、複数（図示例では２個）の上部仕切板１４が設置されている。この上部仕切板１４は、選別多孔板８並びに振動箱３の天井部と所定の間隔をおいて設置されているとともに、図１に示したように各上部仕切板１４の片面が重量物出口３０側に向いており、つまり上部仕切板１４は仕切板９と略平行であり、さらに振動箱３のほぼ全幅に亘って設置されている。
【００２５】
前記選別多孔板８の下端側端部には出口堰板１８が設けられており、出口堰板１８付近で滞留する軽量物から浮力を受けやすい軽量物を吸引する吸引手段２０が設けられている。そして、前記出口堰板１８は、選別多孔板８と逆方向の傾斜となっている。なお、出口堰板１８は、その長さや傾斜角度を調整することもできる。
【００２６】
また、選別多孔板８の上端側端部には、選別多孔板８と所定の間隔をおいてバッフル板２２が設けられている。このバッフル板２２も、その長さや傾斜角度を調整することもできる。
【００２７】
次にこの実施の形態の作用について説明する。選別多孔板８の中央部に被選別材料Ｗを供給する。なお、この被選別材料Ｗは、比重、形状、大きさ等の異なる物質が混在したものであり、金属類が含まれる場合は、磁力選別機や非鉄金属選別機で除去されている。
【００２８】
また、大きさが異なるとは言え、選別精度を高めるためには、大きさに制限を設けることが望ましい。例えば、篩い分けにより篩目を通過する細かな物が除去された篩上物や篩目を通過できない大きな物が除去された篩下物、あるいは、一定の篩目を通過できる大きさに破砕された破砕物を被選別材料Ｗとして用いることが望ましい。なお、篩目の大きさは、特に限定されないが、３０ｍｍ〜５０ｍｍ程度が目安である。
【００２９】
従来の技術では、建築廃棄物の処理過程において、小型廃棄物を破砕し、その破砕物から金属を回収していると説明したが、以下の説明では、この金属が除去された破砕物（廃棄物）を、被選別材料Ｗとして説明する。
【００３０】
選別多孔板８の上の被選別材料Ｗは、選別多孔板８の下方から空気を吹き上げられているので流動し、選別多孔板８上に被選別材料Ｗの流動層が形成される。そして、この流動により、流動層は、浮力を受けやすい軽量物が集まる上層と、浮力を受けにくい重量物が集まる下層と、両者が混在する中間層の３層が形成される。この時、選別多孔板８がその傾斜方向と略同方向に振動しているので、その水平方向の振動による成層作用を受け、中間層の軽量物は浮き上がり、重量物は沈みこむ。このため、軽量物よりなる上層と、重量物よりなる下層との２層よりなる流動層が形成される。なお、軽量物とは、木材、プラスチックス、石膏、紙等の比重が小さい物を主体としているが、小さな（粒径が５ｍｍ程度以下）コンクリート破砕物や砂等、比重の大きい物も含まれる。また、重量物とは、コンクリート破砕物や石等で、比重も重量も大きい物である。
【００３１】
そして、下側の重量物は、選別多孔板８にその傾斜と略同方向の振動が働いているので、その作用を受けて斜め上方へと移動する。この時、選別多孔板８の側面が鋸歯状であれば、その垂直面８ｃは、重量物を大きくキックし移動距離を大きくできるのと、キックされた重量物が傾斜に沿って転がり落ちるのを阻止できるので、すみやかに重量物を重量物出口３０へと移動させることができる。また、上側の軽量物は、振動作用をあまり受けないことと、選別多孔板８が傾斜していることより斜め下方に移動する。また、コンクリート破砕物や砂の内、特に細かい（粒径が１ｍｍ程度以下）微細物ｓは、その一部が選別多孔板８の貫通孔８ａから落下する。なお、空気は、粉塵等とともに空気出口２３より排出される。このようなことにより、被選別材料Ｗ中の軽量物は、斜め下側へと移動し軽量物出口３２から排出され、重量物は斜め上側へと移動し重量物出口３０から排出される。
【００３２】
この時、整流多孔板１２を設けておけば、その貫通孔１２ａから均一な空気が、選別多孔板８の下面に到達し、その貫通孔８ａから吹き上がる。この均一に吹き上がる空気により、選別多孔板８上で、被選別材料Ｗが好ましい状態で流動し、前述した水平方向の振動により、軽量物よりなる上層と、重量物よりなる下層との２層よりなる流動層が形成される。
【００３３】
もし、整流多孔板１２を設けていなければ、空気の吹き抜け等が生じ、選別多孔板８の下面に均一な空気を送ることができず、好ましい流動状態を維持できないが、整流多孔板１２を設けることにより、選別多孔板８の全ての上面で、被選別材料Ｗを好ましい流動状態にし、２層よりなる流動層を形成することができる。
【００３４】
前述したように、この整流多孔板１２は、選別多孔板８の下方に所定の間隔をおいて設置されている。このため、選別多孔板８の貫通孔８ａを落下する微細物（落下物）ｓは、そのまま、整流多孔板１２に向かって落下する。また、細長い被選別材料Ｗも同様に、整流多孔板１２に向かって落下する。この様に、落下物ｓは、従来技術の様に、選別多孔板８のすぐ下方に留まることなく、所定の間隔をおいて設置された整流多孔板１２に向かって落下するので、この落下物ｓにより、空気の流れが阻害される恐れはない。さらに、整流多孔板１２を通過した空気は、整流多孔板１２と選別多孔板８との間隔が広いので、その上昇速度が平均化される。
【００３５】
そして、好ましい流動が維持されている状態で、下側の重量物は、選別多孔板８の傾斜と同方向の振動作用により、斜め上方の重量物出口３０へ、上側の軽量物を選別多孔板８の傾斜により斜め下方の軽量物出口へと確実に分離する。
【００３６】
前記整流多孔板１２の開口率は、選別多孔板８の開口率より小さくし、空気の圧力損失が３０ｍｍ水柱〜７０ｍｍ水柱程度になる様に設定しておくことが望ましい。整流多孔板１２の開口率の方を小さくしておけば、選別多孔板８に均一な空気を送るのに有効なだけでなく、選別多孔板８の通気孔８ａから落下してきた微細物ｓが、整流多孔板１２の貫通孔１２ａから下方の風箱４へと落下することを防止できる。すなわち、整流多孔板１２の貫通孔１２ａを、空気が高速で流れることになり、微細物ｓは貫通孔１２ａを通過できない。そして、この微細物ｓは微細物出口１３から排出されることになる。この様に、整流多孔板１２を設けることにより、この選別機２は、被選別材料Ｗを重量物と軽量物に確実に分離できるだけでなく、被選別材料Ｗ中の微細物ｓも分離できる。
【００３７】
この整流多孔板１２の貫通孔１２ａは細孔とし、例えばφ１ｍｍ程度のものが好適に用いられる。この程度の細孔とすれば、微細物ｓを、より確実に整流多孔板１２の上面に維持することができる。
【００３８】
また、整流多孔板１２は、振動箱３内に水平状態で設けてもよいが、図示したように、少し傾斜させておくことが望ましい。そして、微細物出口１３を、重量物出口３０と同じ側に設けておく。微細物ｓは、整流多孔板１２を通過する空気により、整流多孔板１２上で流動（浮上）しているが、整流多孔板１２に着地すれば、傾斜に沿って移動しようとすることと、整流多孔板１２に働く振動作用により微細物出口１３側の方へ移動する。
【００３９】
この様に、該整流多孔板１２を、選別多孔板８の傾斜と反対方向に傾斜させておけば、確実に微細物ｓを微細物出口１３から排出させることができる。なお、傾斜角度は１°〜６°程度で充分である。
【００４０】
前述したように、比重、形状、大きさ等が異なる物が混在している被選別材料Ｗの場合、小さな軽量物が大きな重量物に巻き込まれたり、棒状の木材が浮力を大きく受けないため、重量物として排出される恐れがある。そこで、空気室Ｈを、仕切板９により、重量物側の空気室Ｈ１に軽量物側の空気室Ｈ２より多くの空気を供給することで、重量物排出側の選別多孔板８を通過する空気の通過流速を、軽量物排出側の選別多孔板８を通過する空気の通過流速より大きくする。
【００４１】
重量物は、軽量物より流動性が低いが、空気の通過流速を大きくすることで、重量物側であっても、被選別材料Ｗの流動性を好ましい状態にできる。被選別材料Ｗが十分に流動すれば、重量物に巻き込まれている軽量物が重量物から分離するので、両者を確実に分離できる。また、棒状の木材も空気の通過流速が大きければ、十分な浮力を受け、重量物の上側になり、確実に軽量物として分離（選別）できる。
【００４２】
また、被選別材料Ｗが同じ比重であっても、その重量（大きさ）により、重量物と軽量物に分離される。例えば、石と、それより小さい小石の場合、浮力を受ける面積と重量の比は、小石の方が大きい。このため、空気により被選別材料Ｗが流動し２層よりなる流動層が形成されれば、小石は石より上側になり、前述の場合と同様に、小石は軽量物として軽量物出口３２より、石は重量物として重量物出口３０から排出される。
【００４３】
この様に、空気室Ｈを、仕切板９により仕切り、重量物側の空気室Ｈ１に多くの空気を供給することで、流動性の乏しい重量物を好ましい状態で流動させるので、軽量物と重量物を確実に分離できる。また、同一比重の被選別材料Ｗを、その重量（大きさ）により、重量物と軽量物に分離することができる。
【００４４】
選別多孔板８を通過した空気は、粉塵とともに空気出口２３に向かって流れていく。この時、選別多孔板８の上方に上部仕切板１４を設けておけば、空気は真っ直ぐに上昇した後、上部仕切板１４の上端部付近から方向を変えて空気出口２３に向かって流れることになる。このように、上部仕切板１４を設けているので、選別多孔板８を通過した空気は、直接、空気出口２３に向かわず、均一に上昇した後、空気出口２３に向かうことになる。このため、選別多孔板８を通過する空気が、より均一となり、選別多孔板８上で被選別材料Ｗを好ましい状態で流動させることができる。
【００４５】
また、選別多孔板８の上に供給された被選別材料Ｗが、振動により大きく斜め上方に飛ばされても、上部仕切板１４に衝突することになる。また、被選別材料Ｗ中の軽量物も、斜め下方に移動する際に、上部仕切板１４と衝突することになる。この様に、被選別材料Ｗは上部仕切板１４と衝突するので、選別作用を充分に受けないまま、重量物出口３０あるいは軽量物出口３２から排出されることがないので、選別性能を高めることができる。
【００４６】
さらに、被選別材料Ｗは上部仕切板１４と衝突することにより、選別多孔板８上での被選別材料Ｗによる流動層の層厚を確保できる。なお、このためには、上部仕切板１４の片面を重量物排出口３０側に向けておく必要がある。もし、選別多孔板８上に被選別材料Ｗがなければ、空気がその部分から集中的に上昇するという、空気の吹き抜け現象が生じるが、被選別材料Ｗの層厚を確保することにより好ましい流動状態を保つことができる。
【００４７】
選別多孔板８の下端側端部に設けられた出口堰板１８は、この付近で、軽量物を滞留させるためのものである。一般に、堰部材は、垂直方向に設けられることが多いが、この出口堰板１８は、図示したように、選別多孔板８と逆方向に傾斜している。出口堰板１８の傾斜は、単に選別多孔板８と逆傾斜になっているだけでなく、選別多孔板８の傾斜面に対しての開き角度が９０°以上とすることが望ましく、１１０°以上で１３５°以下とすることがより望ましい。
【００４８】
出口堰板１８は、この選別機２の場合、垂直な堰部材では、振動が作用すると、その垂直面で軽量物がキックされ斜め上方に大きく移動することになる。しかし、選別多孔板８との開き角度が大きくなれば、水平方向のキック力が弱くなり、反対に上方向へのキック力が強くなる。このため、軽量物は大きく移動することはできない。また、出口堰板１８により、軽量物が堰き止められるので、軽量物は出口堰板１８付近にて滞留する。このため、選別作用を長く受け、比較的軽い軽量物よりなる上層と、比較的重い軽量物よりなる下層とよりなる層厚がより厚くなり、上側に近い部分は、紙、プラスチック、木材等の可燃物が集中する。
【００４９】
この時、出口堰板１８付近に、吸引手段２０を設けておけば、紙やプラスチックシート等の浮遊性可燃物（軽重量）だけでなく、プラスチック片や木材片等の浮遊性の強くない可燃性も吸引できる。この様にすれば、軽量物から可燃性軽量物が吸引除去され、残りの不燃性軽量物、すなわち、石膏と粒径が５ｍｍ程度以下のコンクリート破砕物や砂等が、軽量物出口３２から排出される。前述の出口堰板１８と選別多孔板８との開き角度を１１０°以上と大きくすれば、軽量物の滞留量が増え、可燃物を精度よく除去できる。しかし、出口堰板１８は、一定の高さを必要とし、開き角度を大きくするほど、出口堰板１８も大きくなるので、開き角度は１３５°以下にするのがよい。
【００５０】
前述したように、重量物出口３０からは、粒径が５ｍｍ程度以上のコンクリート破砕物や石等の重量物が排出されるが、混入している軽量物も排出される恐れがある。しかし、バッフル板２２を設けておけば、選別多孔板８を通過した空気は、振動箱３の中央に向かって流れることになる。このため、軽量物が混入していても、この空気の流れにより振動箱３の中央へと押し戻されるので、重量物出口３０からは重量物しか排出されない。
【００５１】
本発明においては、選別機２を振動箱３と風箱４とに分割したが、必ずしも分割する必要はなく、キャンバス５を省いて、両者を一体とすることができる。この場合、風箱４は、振動箱３とともにアーム７を介してフレーム１７に吊り下げられることになる。
【００５２】
【発明の効果】
以上述べたごとく、本発明によれば、選別多孔板の下端側端部に軽量物を滞留させる出口堰板を設けるとともに、出口堰板付近で滞留する軽量物から可燃物を吸引するための吸引手段を設けたので、軽量物中の浮遊性可燃物だけでなく、プラスチック片や木材片等の浮遊性の強くない可燃物も吸引できる。従って、軽量物を、可燃物とそれ以外の不燃物とに選別できる。
【図面の簡単な説明】
【図１】本発明の選別機の実施形態を示す一部切欠正面概略説明図である。
【図２】選別多孔板の部分斜視図である。
【図３】選別多孔板の形状例を示す説明図である。
【図４】従来の選別装置の１例を示す正面概略説明図である。
【符号の説明】
２：選別機、３：振動箱、４：風箱、５：キャンバス、６：空気導入口、７：アーム、８：選別多孔板、９：仕切板、１０：偏心クランク、１１：レバー、１２：整流多孔板、１３：微細物出口、１４：上部仕切板、１５：ベース、１７：フレーム、１８：出口堰板、２０：吸引手段、２２：バッフル板、２３：空気出口、２８：投入口、３０：重量物出口、３２：軽量物出口、３４：軸、Ｈ：空気室、ｓ：微細物。
【図１】
0003623717.tif 000002
【図２】
0003623717.tif 000003
【図３】
0003623717.tif 000004
【図４】
0003623717.tif 000005